【手続補正書】
【提出日】平成19年10月3日(2007.10.3)
【手続補正１】
【補正対象書類名】明細書
【補正対象項目名】発明の名称
【補正方法】変更
【補正の内容】
【発明の名称】電動ファンシュラウドの取付構造
【手続補正２】
【補正対象書類名】明細書
【補正対象項目名】特許請求の範囲
【補正方法】変更
【補正の内容】
【特許請求の範囲】
【請求項１】  ラジエータ用の冷却ファンを駆動するファンモータが取り付けられた電動ファンシュラウドをラジエータにボルトを用いずに複数箇所で締結する電動ファンシュラウドの取付構造であって、
前記ラジエータと前記電動ファンシュラウドとのいずれか一方に設けられた複数の係止孔と、
その他方に設けられ、互いに対向し先端に爪部を有する弾性変形可能な壁部でそれぞれ構成される一対の突片をそれぞれ含み、前記複数の係止孔のそれぞれに前記爪部が弾発的に係合して係止される複数の係合部とを備え、
前記電動ファンシュラウドに設けられる前記複数の係止孔又は前記複数の係合部は、前記ファンモータの両側に配置され、
前記複数の係合部のそれぞれは、前記ファンモータ側の部位における前記爪部と前記係止孔との係合力或いは同部位における前記壁部の剛性が同ファンモータとは反対側の部位より大になる形状に形成されることを特徴とする電動ファンシュラウドの取付構造。
【請求項２】  前記各対の突片は水平方向に延び、各突片の爪部における前記ファンモータ側の部位と前記係止孔周囲の平面部との接触面が同ファンモータとは反対側の部位と前記平面部との接触面より大きくなる形状に形成されることを特徴とする請求項１に記載の電動ファンシュラウドの取付構造。
【請求項３】  前記各対の突片の爪部は、前記ファンモータ側の部位から同ファンモータとは反対側の部位にかけて前記係止孔周囲の平面部との接触面が次第に小さくなる形状に形成されることを特徴とする請求項２に記載の電動ファンシュラウドの取付構造。
【請求項４】  前記各対の突片は垂直方向に延び、各対の突片の両爪部のうち前記ファンモータ側にある一方の爪部と前記係止孔周囲の平面部との接触面が他方の爪部と前記平面部との接触面より大きくなる形状に形成されることを特徴とする請求項１に記載の電動ファンシュラウドの取付構造。
【請求項５】  前記各対の突片は水平方向に延び、各対の突片の壁部における前記ファンモータ側の部位の厚さが同ファンモータとは反対側の部位の厚さより大きくなる形状に形成されることを特徴とする請求項１に記載の電動ファンシュラウドの取付構造。
【請求項６】  前記係合部は前記ラジエータ側に設けられており、前記係止孔は前記電動ファンシュラウド側に設けられていることを特徴とする請求項１〜５のいずれか一項に記載の電動ファンシュラウドの取付構造。
【請求項７】  前記電動ファンシュラウドの下端部には、前記ラジエータ側に設けたピンと係合可能な係合溝が少なくとも１箇所に設けられていることを特徴とする請求項１〜６のいずれか一項に記載の電動ファンシュラウドの取付構造。
【手続補正３】
【補正対象書類名】明細書
【補正対象項目名】０００１
【補正方法】変更
【補正の内容】
【０００１】
【発明の属する技術分野】
本発明は、ラジエータ用の冷却ファンを駆動するファンモータが取り付けられた電動ファンシュラウドをラジエータに複数箇所で締結するのに好適な電動ファンシュラウドの取付構造に関する。
【手続補正４】
【補正対象書類名】明細書
【補正対象項目名】０００６
【補正方法】変更
【補正の内容】
【０００６】
本発明は、こうした事情に鑑みてなされたもので、その目的は、電動ファンシュラウドにその締結を解除する方向の力が作用した際に、電動ファンシュラウドのラジエータに対する締結が解除されるのを防止した電動ファンシュラウドの取付構造を提供することである。
【手続補正５】
【補正対象書類名】明細書
【補正対象項目名】０００７
【補正方法】変更
【補正の内容】
【０００７】
【課題を解決するための手段】
以下、上記課題を解決するための手段およびその作用効果について記載する。
請求項１に係る発明は、ラジエータ用の冷却ファンを駆動するファンモータが取り付けられた電動ファンシュラウドをラジエータにボルトを用いずに複数箇所で締結する電動ファンシュラウドの取付構造であって、前記ラジエータと前記電動ファンシュラウドとのいずれか一方に設けられた複数の係止孔と、その他方に設けられ、互いに対向し先端に爪部を有する弾性変形可能な壁部でそれぞれ構成される一対の突片をそれぞれ含み、前記複数の係止孔のそれぞれに前記爪部が弾発的に係合して係止される複数の係合部とを備え、前記電動ファンシュラウドに設けられる前記複数の係止孔又は前記複数の係合部は、前記ファンモータの両側に配置され、前記複数の係合部のそれぞれは、前記ファンモータ側の部位における前記爪部と前記係止孔との係合力或いは同部位における前記壁部の剛性が同ファンモータとは反対側の部位より大になる形状に形成されることを特徴としている。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
この発明によれば、各係合部の一対の突片の壁部を弾性変形させて係止孔に弾発的に係合させると、両壁部の各爪部が係止孔周囲の平面部で係止される。これにより、電動ファンシュラウドがラジエータにボルトを用いずに締結される。
【手続補正９】
【補正対象書類名】明細書
【補正対象項目名】００１１
【補正方法】変更
【補正の内容】
【００１１】
各係合部は、前記ファンモータ側の部位での爪部と係止孔との係合力或いは同部位での壁部の剛性が他の部位よりも大になる形状に形成されている。このため、電動ファンシュラウドにその締結を解除する方向の力が作用した際に、各係合部は、前記力がより強く作用するファンモータ側の部位で爪部が係止孔から容易には外れず、或いはその部位で壁部に局部的なたわみが生じにくい。すなわち、重量の大きなファンモータが取り付けられた電動ファンシュラウドに前記力が作用した際に、各係合部の爪部が係止孔から容易には外れない。したがって、電動ファンシュラウドにその締結を解除する方向の力が作用した際に、同シュラウドのラジエータに対する締結が解除されるのを防止することができる。
【手続補正１０】
【補正対象書類名】明細書
【補正対象項目名】００１２
【補正方法】変更
【補正の内容】
【００１２】
請求項２に係る発明は、請求項１に記載の電動ファンシュラウドの取付構造において、前記各対の突片は水平方向に延び、各突片の爪部における前記ファンモータ側の部位と前記係止孔周囲の平面部との接触面が同ファンモータとは反対側の部位と前記平面部との接触面より大きくなる形状に形成されることを特徴としている。
【手続補正１１】
【補正対象書類名】明細書
【補正対象項目名】００１３
【補正方法】変更
【補正の内容】
【００１３】
この発明によれば、各突片の爪部における前記ファンモータ側の部位と前記係止孔周囲の平面部との接触面が、同ファンモータとは反対側の部位と前記平面部との接触面より大きくなる形状に形成されている。このため、電動ファンシュラウドにその締結を解除する方向の力が作用した際に、各突片の爪部は、そのファンモータ側で係止孔から容易には外れない。したがって、各対の突片が水平方向に延びている場合でも、電動ファンシュラウドにその締結を解除する方向の力が作用した際に、同シュラウドのラジエータに対する締結が解除されるのを効果的に防止することができる。
請求項２に係る発明は、具体的には請求項３に係る発明によるように、前記各対の突片の爪部は、前記ファンモータ側の部位から同ファンモータとは反対側の部位にかけて前記係止孔周囲の平面部との接触面が次第に小さくなる形状に形成されるといった態様を採用することができる。
【手続補正１２】
【補正対象書類名】明細書
【補正対象項目名】００１４
【補正方法】変更
【補正の内容】
【００１４】
請求項４に係る発明は、請求項１に記載の電動ファンシュラウドの取付構造において、前記各対の突片は垂直方向に延び、各対の突片の両爪部のうち前記ファンモータ側にある一方の爪部と前記係止孔周囲の平面部との接触面が他方の爪部と前記平面部との接触面より大きくなる形状に形成されることを特徴としている。
【手続補正１３】
【補正対象書類名】明細書
【補正対象項目名】００１５
【補正方法】変更
【補正の内容】
【００１５】
この発明によれば、各対の突片の両爪部のうち前記ファンモータ側にある一方の爪部と係止孔周囲の平面部との接触面が、他方の爪部と前記平面部との接触面より大きくなる形状に形成されている。このため、電動ファンシュラウドにその締結を解除する方向の力が作用した際に、各対の突片の両爪部のうち前記力がより強く作用するファンモータ側にある一方の爪部が係止孔から容易には外れない。したがって、各対の突片が垂直方向に延びている場合でも、電動ファンシュラウドにその締結を解除する方向の力が作用した際に、同シュラウドのラジエータに対する締結が解除されるのを効果的に防止することができる。
【手続補正１４】
【補正対象書類名】明細書
【補正対象項目名】００１６
【補正方法】変更
【補正の内容】
【００１６】
請求項５に係る発明は、請求項１に記載の電動ファンシュラウドの取付構造において、前記各対の突片は水平方向に延び、各対の突片の壁部における前記ファンモータ側の部位の厚さが同ファンモータとは反対側の部位の厚さより大きくなる形状に形成されることを特徴としている。
【手続補正１５】
【補正対象書類名】明細書
【補正対象項目名】００１７
【補正方法】変更
【補正の内容】
【００１７】
この発明によれば、各対の突片の壁部における前記ファンモータ側の部位の厚さが同ファンモータとは反対側の部位の厚さより大きくなる形状に形成されている。このため、電動ファンシュラウドにその締結を解除する方向の力が作用した際に、各対の突片の壁部を、前記力がより強く作用するファンモータ側で局部的なたわみが生じにくく、各爪部のファンモータ側は係止孔から容易には外れない。したがって、各対の突片が水平方向に延びている場合でも、電動ファンシュラウドにその締結を解除する方向の力が作用した際に、同シュラウドのラジエータに対する締結が解除されるのを効果的に防止することができる。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】変更
【補正の内容】
【００２０】
請求項６に係る発明は、請求項１〜５のいずれか一項に記載の電動ファンシュラウドの取付構造において、前記係合部は前記ラジエータ側に設けられており、前記係止孔は前記電動ファンシュラウド側に設けられていることを特徴としている。
【手続補正１９】
【補正対象書類名】明細書
【補正対象項目名】００２１
【補正方法】変更
【補正の内容】
【００２１】
この発明によれば、電動ファンシュラウドがラジエータに締結された状態で、ラジエータ側に設けた係合部の一対の突片の爪部が電動ファンシュラウド側に設けた係止孔から外部に突出している。このため、電動ファンシュラウドをラジエータから取り外す際には、各対の突片の両爪部を指で摘んで両壁部を弾性変形させながら、両爪部を係止孔から外すことができる。したがって、ラジエータに対する電動ファンシュラウドの締結解除を容易に行うことができ、同シュラウドの取外し作業を容易に行うことができる。
【手続補正２０】
【補正対象書類名】明細書
【補正対象項目名】００２２
【補正方法】変更
【補正の内容】
【００２２】
請求項７に係る発明は、請求項１〜６のいずれか一項に記載の電動ファンシュラウドの取付構造において、前記電動ファンシュラウドの下端部には、前記ラジエータ側に設けたピンと係合可能な係合溝が少なくとも１箇所に設けられていることを特徴としている。
【手続補正２１】
【補正対象書類名】明細書
【補正対象項目名】００２３
【補正方法】変更
【補正の内容】
【００２３】
この発明によれば、電動ファンシュラウドをラジエータに締結する際に、同シュラウドの下端部に設けた係合溝をラジエータに設けたピンに係合させた状態で、各係合部と各係止孔とを係合させることができるので、その係合作業を電動ファンシュラウドを安定した姿勢にした状態で行うことができる。したがって、電動ファンシュラウドのラジエータへの組付け作業を容易に行うことができる。また、電動ファンシュラウドをラジエータから外す際に、各係合部と各係止孔との係合を解除した状態で、同シュラウドの係合溝がラジエータのピンに係合している。このため、前記係合の解除により電動ファンシュラウドがラジエータから一気に外れたりせず、同シュラウドの取外し作業を安全に行うことができる。
【手続補正２２】
【補正対象書類名】明細書
【補正対象項目名】００２４
【補正方法】変更
【補正の内容】
【００２４】
【発明の実施の形態】
以下、本発明に係る電動ファンシュラウドの取付構造を、自動車等の車両に搭載される電動ファンシュラウドの取付構造に適用した各実施形態を図面に基づいて説明する。
【手続補正２３】
【補正対象書類名】明細書
【補正対象項目名】００２６
【補正方法】変更
【補正の内容】
【００２６】
図３〜図５に示すように、電動ファンシュラウド２３の中央部には、自動車等の車両に搭載されるラジエータ２４用の冷却ファン２１を駆動するファンモータ２２が取り付けられている。電動ファンシュラウド２３には、その上下方向の略中間部の左右２箇所に、締結部３１が折曲げにより突設されている。左右の締結部３１，３１には、水平方向（図３の左右方向）に長い長方形の係止孔３２がそれぞれ穿設されている。また、電動ファンシュラウド２３の下端両側の２箇所には、係合溝３３を有する係合片４０がそれぞれ突設されている。
【手続補正２４】
【補正対象書類名】明細書
【補正対象項目名】００３０
【補正方法】変更
【補正の内容】
【００３０】
そこで、左右の係合部３４Ａ，３４Ｂを、各爪部３６と係止孔３２との係合を解除する方向の力(外力)Ｆに対して、各爪部３６が係止孔３２から外れにくい形状に形成してある。具体的には、本例では、左側の係合部３４Ａの各突片３５，３５は、図１及び図２に示すように、各爪部３６の右側端部と係止孔３２周囲の平面部３８（図５参照）との接触面が、各爪部３６の左側端部と平面部３８との接触面よりも大きくなる形状に形成されている。すなわち、左側の係合部３４Ａでは、各爪部３６は、その右側端部の幅（突出長さ）Ｗ１がその左側端部の幅Ｗ２より大きく、その幅が右側端部から左側端部へ向かって次第に小さくなるように形成されている。
【手続補正２５】
【補正対象書類名】明細書
【補正対象項目名】００４３
【補正方法】変更
【補正の内容】
【００４３】
この実施形態では、電動ファンシュラウド２３の左右の各締結部３１には、垂直方向に長い長方形の係止孔３２ａがそれぞれ穿設されている。また、ラジエータ２４側に設けた両係合部３４Ａ，３４Ｂの各対の突片３５ａ，３５ａは垂直方向に延びている。そして、各対の突片３５ａ，３５ａの両爪部は、前記外力Ｆがより強く作用する側にある一方の爪部と係止孔３２周囲の平面部３８との接触面が、外力Ｆがより弱く作用する側にある他方の爪部と平面部３８との接触面より大きい形状に形成されている。
【手続補正２６】
【補正対象書類名】明細書
【補正対象項目名】００５４
【補正方法】変更
【補正の内容】
【００５４】
・上記各実施形態では、本発明に係る電動ファンシュラウドの取付構造を、自動車等の車両に搭載される電動ファンシュラウドの取付構造に適用した例を示してあるが、本発明は重量の大きい部品等が取り付けられる板状の保持体を相手部材に締結する保持体の取付構造に広く適用可能である。